(57)【要約】      （修正有）【課題】手動操作の負担が軽減され、使い易い自動昇降型ファンを提供する。【解決手段】台座と、台座に対して垂直に固定された支柱２と、支柱２の中に穿設されて、ファンカバーを装着するための昇降管３と、を備える自動昇降型ファンであって、支柱２には、駆動用モーター４が装着され、昇降管３には、縦方向のラックパターン３０が設けられ、駆動用モーター４の出力軸は、ギアセットを介してラックパターン３０と伝動的に連結され、駆動用モーター４の回転により、昇降管３を動かして支柱２に沿って昇降させる。【選択図】図２
0003215390.tif 000002
【実用新案登録請求の範囲】
【請求項１】
台座と、前記台座に対して垂直に固定された支柱と、前記支柱の中に穿設されて、ファンカバーを装着するための昇降管と、を備える自動昇降型ファンであって、
前記支柱には、駆動用モーターが装着され、前記昇降管には、縦方向のラックパターンが設けられ、前記駆動用モーターの出力軸は、ギアセットを介して前記ラックパターンと伝動的に連結され、前記駆動用モーターの回転により、前記昇降管を動かして前記支柱に沿って昇降させることを特徴とする自動昇降型ファン。
【請求項２】
前記ギアセットは、駆動ギアと従動ギアとを含み、前記駆動ギアは、前記駆動用モーターの出力軸に取り付けられ、前記従動ギアは、前記駆動ギアと前記ラックパターンとの間に噛み合うように連接されることを特徴とする請求項１に記載の自動昇降型ファン。
【請求項３】
前記支柱の上端には、前記駆動用モーターを固定するためのブラケットが装着され、前記ブラケットは頂板を含み、前記頂板には、前記昇降管を貫通させるための孔部が設けられ、前記頂板の縁には、前記頂板の垂直方向に沿って下へ延伸する側板が設けられ、前記側板には、前記ギアセットを装着するための窓が設けられ、前記窓の２つの側縁には、前記側板に対して垂直であるメイン支持板及びサブ支持板がそれぞれ設けられ、前記メイン支持板は、前記側板の外側に向けられ、前記サブ支持板は、前記側板の内側に向けられ、前記駆動用モーターは、前記メイン支持板に固定され、前記従動ギアは、前記サブ支持板に装着され、前記支柱には、開口が設けられ、前記従動ギアは、前記開口を貫通して、前記昇降管におけるラックパターンと協働することを特徴とする請求項２に記載の自動昇降型ファン。
【請求項４】
前記支柱には、密封カバーが設けられ、前記密封カバーには、前記昇降管を貫通させるための貫通孔が開設され、前記頂板は、前記密封カバーの上に重ねて固定されていることを特徴とする請求項３に記載の自動昇降型ファン。
【請求項５】
前記駆動用モーター、前記駆動ギア、前記従動ギア及び前記ブラケットをカバーして、これらの部品を保護するためのハウジングをさらに含むことを特徴とする請求項４に記載の自動昇降型ファン。
【請求項６】
前記ギアセットは、減速ギアセットであることを特徴とする請求項１に記載の自動昇降型ファン。
【請求項７】
前記駆動用モーターのマザーボードには、外部制御信号を受信するためのリモート制御回路が装着されることを特徴とする請求項１に記載の自動昇降型ファン。
【請求項８】
前記駆動用モーターは、ステッピングモーターであることを特徴とする請求項１に記載の自動昇降型ファン。
【考案の詳細な説明】
【技術分野】
【０００１】
本考案は、ファンに関し、特に自動昇降型の床置きファンに関するものである。
【背景技術】
【０００２】
従来の昇降型ファンは、常に以下の構造を利用して、手動昇降機能を実現する。例えば、単軸スクリューを用いて支柱の位置を固定することによって、ファンの高さを調節する。または、支柱を取り囲むように設けられたレバー式ボタンを介してファンの高さを調節する。しかし、これらの構造には、幾つかの欠点がある。具体的には、ファンの高さを調節する時に、ユーザーはファンに近づいて、一方の手でファンの伸縮管を掴んで、他方の手で伸縮管を伸縮させるように調節する。しかし、ファンカバー及びファンブレードが装着された伸縮管が常に重いので、ユーザーはファンを調節する時に大きな力を入れる必要がある。要約すると、従来のファンの昇降構造は、煩わしく、不便であり、それを改善する必要がある。
【考案の概要】
【考案が解決しようとする課題】
【０００３】
本考案は、従来の問題点に鑑みてなされたものであり、昇降構造が改善された自動昇降型ファンを提供することを目的とする。
【課題を解決するための手段】
【０００４】
上記の課題を解決するために、本考案に係る自動昇降型ファンは、台座と、前記台座に対して垂直に固定された支柱と、前記支柱の中に穿設されて、ファンカバーを装着するための昇降管と、を備え、前記支柱には、駆動用モーターが装着され、前記昇降管には、縦方向のラックパターンが設けられ、前記駆動用モーターの出力軸は、ギアセットを介して前記ラックパターンと伝動的に連結され、前記駆動用モーターの回転により前記昇降管を動かして前記支柱に沿って昇降させる。
【０００５】
さらに、前記ギアセットは、駆動ギアと従動ギアとを含み、前記駆動ギアは、前記駆動用モーターの出力軸に取り付けられ、前記従動ギアは、前記駆動ギアと前記ラックパターンとの間に噛み合うように連接される。
【０００６】
さらに、前記支柱の上端には、前記駆動用モーターを固定するためのブラケットが装着され、前記ブラケットは、頂板を含み、前記頂板には、前記昇降管を貫通させるための孔部が設けられ、前記頂板の縁には、前記頂板の垂直方向に沿って下へ延伸する側板が設けられ、前記側板には、前記ギアセットを装着するための窓が設けられ、前記窓の２つの側縁には、前記側板に対して垂直であるメイン支持板及びサブ支持板がそれぞれ設けられ、前記メイン支持板は、前記側板の外側に向けられ、前記サブ支持板は、前記側板の内側に向けられ、前記駆動用モーターは、前記メイン支持板に固定され、前記従動ギアは、前記サブ支持板に装着され、前記支柱には、開口が設けられ、前記従動ギアは、前記開口を貫通して、前記昇降管におけるラックパターンと協働する。
【０００７】
前記支柱には、密封カバーが設けられ、前記密封カバーには、前記昇降管を貫通させるための貫通孔が開設され、前記頂板は、前記密封カバーの上に重ねて固定されている。
【０００８】
さらに、前記駆動用モーター、前記駆動ギア、前記従動ギア及び前記ブラケットをカバーして、これらの部品を保護するためのハウジングをさらに含む。
【０００９】
さらに、前記ギアセットは、減速ギアセットである。
【００１０】
さらに、前記駆動用モーターのマザーボードには、外部制御信号を受信するためのリモート制御回路が装着される。
【００１１】
さらに、前記駆動用モーターは、ステッピングモーターである。
【考案の効果】
【００１２】
本考案は、駆動用モーターを始動して、ギアセットとラックパターンとの協働によって、昇降管を動かして支柱に沿って上下に運動させる。これにより、ファンの高さを調節する時に、ユーザーの手動操作の負担は軽減され、ファンはより使い易くなる。
【図面の簡単な説明】
【００１３】
【図１】本考案の自動昇降型ファンの斜視図である。
【図２】図１におけるＡ部の拡大図である。
【図３】本考案に係る自動昇降型ファンのブラケットの斜視図である。
【考案を実施するための形態】
【００１４】
本考案の技術特徴、目的及び技術効果を明確に理解させるために、以下図面を参照しながら本考案の具体的な実施形態を詳細に説明する。
【００１５】
図１〜図３に示すように、本考案に係る自動昇降型ファン（図面において、昇降機能に関わるコア部品のみを示す）は、台座１及び台座１に対して垂直に固定された支柱２を含む。ファンカバーを装着するための昇降管３は、支柱２の中に設けられる。支柱２には、駆動用モーター４が装着されている。昇降管３には、縦方向のラックパターン３０が設けられている。駆動用モーター４の出力軸は、ギアセットを介してラックパターン３０と伝動的に連結される。駆動用モーター４の回転により昇降管３を動かして昇降させる。駆動用モーター４は、ステッピングモーターを採用することができる。起動された後、駆動用モーター４の正転又は逆転による動力は、ギアセットに伝えられる。ギアセットは、ラックパターン３０と協働して、昇降管３を動かして支柱２に沿って上下に運動させる。このような方式によって、ユーザーのファンカバーに対するハンドリフト操作は回避され、ファンの高さの調節はさらに簡単になる。しかも、従来技術において、モーターに対する駆動は、既にリモート制御方式が実現している。モーターのマザーボードにおいて、外部制御信号を受信するためのリモート制御回路を設けさえすれば、ユーザーは、リモコンから信号を遠隔送信することにより、駆動用モータ−４をリモート制御して、ファンの高さを遠隔調節することができる。
【００１６】
１つの実施例において、前記ギアセットは、駆動ギア５と従動ギア６とを含む。駆動ギア５は、駆動用モーター４の出力軸に取り付けられている。従動ギア６は、駆動ギア５とラックパターン３０との間に噛み合うように連接される。本実施例において、前記ギアセットは、減速の方式を採用することが好ましい。従って、従動ギア６は、駆動ギア５より大きい。これは、昇降管３上のファンカバー部分は、一定の重量を有するため、駆動用モーター４の出力速度を下げることは、ファンの昇降過程における安定性を確保するのに役立つからである。
【００１７】
もう１つの実施例において、支柱２の上端には、駆動用モーター４を固定するためのブラケット７が装着されている。ブラケット７は、頂板７０を含む。頂板７０には、昇降管３を貫通させるための孔部７１が設けられている。頂板７０の縁には、頂板７０の垂直方向に沿って下へ延伸する側板７２が設けられる。側板７２には、前記ギアセットを装着するための窓７３が設けられている。窓７３の２つの側縁には、側板７２に対して垂直であるメイン支持板７４及びサブ支持板７５がそれぞれ設けられる。メイン支持板７４とサブ支持板７５は、同一直線上に位置し、メイン支持板７４は、側板７２の外側に向けられ、サブ支持板７５は、側板７２の内側に向けられる。駆動用モーター４は、メイン支持板７４に固定される。従動ギア６は、サブ支持板７５に装着される。支柱２には、開口２０が設けられている。従動ギア６は、開口２０を貫通して、昇降管３におけるラックパターン３０と協働する。駆動用モーター４及び前記ギアセット等の部品は、支柱２の上端に設けられる。支柱２の上端部分がちょうど昇降管３と支柱２との嵌合接続部であるため、運動過程における安定性を効果的に強めることができる。また、ブラケット７の構造は、昇降管３の安定性を強めるだけではなく、ファン全体の組立のシンプルさを確保することができる。
【００１８】
また、もう１つの実施例において、支柱２には、密封カバー８が設けられる。密封カバー８には、昇降管３を貫通させるための貫通孔が開設される。頂板７０は、密封カバー８の上に重ねて固定されている。密封カバー８は、ブラケット７の取り付けを容易にすると共に、昇降管３に対する安定化効果も高める。また、駆動用モーター４、駆動ギア５、従動ギア６及びブラケット７をカバーして、これらの部品を保護するためのハウジングをさらに設けることができる。
【００１９】
以上、好適な具体例を挙げて本考案を説明してきたが、本考案は、上述の実施形態に限定されるものではなく、その要旨を逸脱しない範囲において、種々な変更又は取替えが可能であることは言うまでもない。この変更又は取替えに基づく様々な変形例も本考案の保護範囲に含まれることは明らかである。
【符号の説明】
【００２０】
１    台座
２    支柱
２０  開口
３    昇降管
３０  ラックパターン
４    駆動用モーター
５    駆動ギア
６    従動ギア
７    ブラケット
７０  頂板
７１  孔部
７２  側板
７３  窓
７４  メイン支持板
７５  サブ支持板
８    密封カバー
【図１】
0003215390.tif 000003
【図２】
0003215390.tif 000004
【図３】
0003215390.tif 000005